(57)【要約】      （修正有）【課題】携帯電話などの電子設備を挟持でき、高い汎用性を持つクランプ装置を提供する。【解決手段】クランプ装置は、ハウジング１０、向かい合い設置された二つ以上の接続機構３０、及びハウジング１０両側にある二つ以上のクランプ機構４０を含む。ハウジング１０の両側には、一つ以上のスライド溝１１がある。各接続機構３０の一端はスライド移動可能にスライド溝１１に収納され、かつハウジング１０に進入され、他の一端がスライド溝１１から伸び出して、クランプ機構４０に接続する。各接続機構３０は、クランプ機構４０を動かし、スライド溝１１に沿った径方向へ移動される。向かい合い設置された二つ以上の接続機構３０は、対応するクランプ機構４０を動かし、向かい合う方向または反対の方向へ移動される。【選択図】図１
0003210956.tif 000002
【実用新案登録請求の範囲】
【請求項１】
クランプ装置であって、ハウジング（10）、向かい合い設置された二つ以上の接続機構（30）、及び前記ハウジング（10）の両側にある二つ以上のクランプ機構（40）を含み、前記ハウジング（10）の両側には、一つ以上のスライド溝（11）が設置され、各接続機構（30）の一端はスライド移動可能に前記スライド溝（11）に収納され、かつ前記ハウジング（10）に進入され、他の一端が前記スライド溝（11）から伸び出して、クランプ機構（40）に接続されており、各接続機構（30）は、クランプ機構（40）を動かして、スライド溝（11）に沿った径方向へ移動され、向かい合い設置された二つ以上の接続機構（30）は、対応するクランプ機構（40）を動かして、向かい合う方向または反対の方向へ移動される、ことを特徴とするクランプ装置。
【請求項２】
各クランプ機構（40）は台座（41）を含み、前記台座（41）は、台座本体（411）、ベース（412）及び台座本体とベースの間に設置された接続ロッド（413）を含み、前記台座本体（411）、ベース（412）と接続ロッド（413）は共同で嵌合溝（401）を形成しており、前記接続機構（30）には収納穴（32）が設けられ、前記接続ロッド（413）は前記収納穴（32）に収納され、前記台座本体（411）とベース（412）は前記収納穴（32）の両側に位置し、前記接続機構（30）の一部は前記嵌合溝（401）に収納される、ことを特徴とする請求項１に記載のクランプ装置。
【請求項３】
各クランプ機構（40）は、クランプ部（42）を更に含み、前記クランプ部（42）は回動可能に前記台座本体（411）のベース（412）から遠く離れる一端に接続される、ことを特徴とする請求項２に記載のクランプ装置。
【請求項４】
前記接続機構（30）には、一つ以上の突起部（34）が突出して設けられ、前記突起部（34）は、前記台座本体（411）の前記ハウジング（10）に近い表面に当接する、ことを特徴とする請求項２に記載のクランプ装置。
【請求項５】
前記クランプ装置は、前記ハウジング（10）内に収納される二つ以上の弾力機構（20）を更に含み、各接続機構（30）の一端はスライド移動可能に弾力機構（20）に設置される、ことを特徴とする請求項１乃至請求項４のいずれか一項に記載のクランプ装置。
【請求項６】
前記クランプ装置は、前記ハウジング（10）内に収納される仕切り板（50）と固定部（60）を更に含み、前記仕切り板（50）は、前記ハウジング（10）を収納空間（51）と収納腔（61）に分けており、前記固定部（60）は前記収納腔（61）に収納され、かつ前記収納腔（61）を二つの収納室（611）に分けており、各スライド溝（11）はそれぞれ収納室（611）に連通する、ことを特徴とする請求項５に記載のクランプ装置。
【請求項７】
前記弾力機構（20）の数量は二つであり、前記二つの弾力機構（20）はそれぞれ前記固定部（60）に固定して設けられ、各弾力機構（20）の少なくとも一部は収納室（611）に収納され、各接続機構（30）の一部は収納室（611）に収納され、かつ弾力機構（20）とスライド移動可能に接続される、ことを特徴とする請求項６に記載のクランプ装置。
【請求項８】
前記弾力機構（20）はスライド部（21）と、前記スライド部（21）の両端に設置される二つの弾性部（22）と、を含み、前記接続機構（30）と前記スライド部（21）はスライド移動可能に接続する、ことを特徴とする請求項６に記載のクランプ装置。
【請求項９】
前記接続機構（30）の一端には接続部（31）が設けられ、前記接続部（31）には接続溝（33）が開設され、前記スライド部（21）の一部は前記接続溝（33）に収納される、ことを特徴とする請求項８に記載のクランプ装置。
【請求項１０】
前記固定部（60）には凹溝（601）が設けられ、前記弾性部（22）の自由端（23）は凹溝（601）に収納される、ことを特徴とする請求項８に記載のクランプ装置。
【請求項１１】
前記凹溝（601）の二つの側壁にはそれぞれ係止部（62）が突出して設けられ、前記二つの係止部（62）の間には隙間が形成され、前記弾性部（22）の自由端（23）は前記隙間を貫通して、前記凹溝（601）に収納される、ことを特徴とする請求項１０に記載のクランプ装置。
【請求項１２】
モバイル電源であって、請求項1乃至請求項11のいずれか一項に記載のクランプ装置を含み、前記モバイル電源は、電池を含み、前記電池は前記ハウジング（10）に収納される、ことを特徴とするモバイル電源。
【請求項１３】
前記ハウジング（10）の両端にはそれぞれ開口部（13）が開設され、前記ハウジング（10）は二つのカバー（12）を更に含み、各カバー（12）は開口部（13）を被覆して設置される、ことを特徴とする請求項１２に記載のモバイル電源。
【請求項１４】
カバー（12）には一つ以上の充電インタフェース（121）と一つ以上の放電インタフェース（122）が設けられている、ことを特徴とする請求項１２に記載のモバイル電源。
【請求項１５】
前記モバイル電源は、前記ハウジング（10）に収納されるマザーボード（70）と、それぞれ前記マザーボード（70）両端に接続する二つのマザーボード固定部（80）と、を含み、前記マザーボード（70）は前記マザーボード固定部（80）を介して、前記ハウジング（10）に固定される、ことを特徴とする請求項１２乃至請求項１４のいずれか一項に記載のモバイル電源。
【請求項１６】
前記マザーボード（70）の両端にはそれぞれ一つ以上の第一取付穴（701）が開設され、前記マザーボード固定部（80）は、第一接続部（81）と、前記第一接続部（81）に接続している第二接続部（82）と、を含み、前記第一接続部（81）には一つ以上の第二取付穴（811）が開設され、各第二接続部（82）の前記マザーボード（70）に近い一端には、一つ以上の縁凸部（812）が形成されており、前記縁凸部（812）は、対応の第一取付穴（701）に収納される、ことを特徴とする請求項１５に記載のモバイル電源。
【考案の詳細な説明】
【技術分野】
【０００１】
本考案は、モバイル電源技術分野、特にクランプ装置、及びそのクランプ装置を用いるモバイル電源に関わる。
【背景技術】
【０００２】
モバイル電源は幅広く使用されている。充電ケーブルを通して、携帯電話など電子設備をモバイル電源に接続して携帯電話を充電することができる。充電ケーブルが長い場合、ユーザーは歩くまたは写真を撮る時、片手でモバイル電源を持ち、他の手で携帯電話を持つ必要がある。大画面の携帯電話を使う場合、携帯電話を握る手は単独で写真を撮ったり、電話をかけたり、または電話に出るなどの操作を完成できないので、使用が不便である。携帯電話とモバイル電源がバッグに置かれる場合、長い充電ケーブルは、纏わりなどの問題が発生する。充電ケーブルが短い場合、携帯電話とモバイル電源を重ねて、片手でモバイル電源と携帯電話を持ち、他の手で携帯電話で写真を撮ったり、電話をかけたり、電話に出るなど操作をしなければならない。しかし、携帯電話とモバイル電源の間が摺動するため、携帯電話が不安定になり、操作が不便になり、携帯電話が落ちるなどの問題が生じる。
【０００３】
携帯電話を保持できるモバイル電源には、一般的にクランプ部がある。ただし、通常、クランプ部は特定サイズの携帯電話のために設計されている。クランプ部を持つモバイル電源製品は、サイズが適合する携帯電話のみに対応するため、汎用性が悪い。
【考案の概要】
【考案が解決しようとする課題】
【０００４】
本考案の主な目的は、高い汎用性を持つクランプ装置、特に携帯電話など電子設備を保持できるクランプ装置を提供することである。
【課題を解決するための手段】
【０００５】
上記目的を達成するために、本考案のクランプ装置は、ハウジング、向かい合い設置された二つ以上の接続機構、及び前記ハウジングの両側に位置する二つ以上のクランプ機構を含む。前記ハウジングの両側には、一つ以上のスライド溝が設けられる。各接続機構の一端はスライド移動可能に前記スライド溝に収納され、かつ前記ハウジングに進入され、他の一端は前記スライド溝から伸び出して、クランプ機構と接続する。各接続機構は、クランプ機構を動かして、スライド溝に沿った径方向へ移動され、向かい合い設置された二つ以上の接続機構は、対応するクランプ機構を動かして、向かい合う方向または反対の方向へ移動される。
【０００６】
好ましくは、各クランプ機構は台座を含み、前記台座は、台座本体、ベース及び接続ロッドを含み、前記台座本体、ベースと接続ロッドは共同で嵌合溝を形成する。前記接続機構には収納穴が開設され、前記接続ロッドは前記収納穴に収納されており、前記台座本体とベースは前記収納穴の両側に位置し、前記接続機構の一部は前記嵌合溝に収納される。
【０００７】
好ましくは、各クランプ機構は、クランプ部を含み、前記クランプ部は回動可能に前記台座本体のベースから遠く離れた一端に接続することができる。
【０００８】
好ましくは、前記接続機構には、一つ以上の突起部が突出して設けられ、前記突起部は、前記台座本体の前記ハウジングに近い表面に当接する。
【０００９】
好ましくは、前記クランプ装置は、前記ハウジング内に収納される二つ以上の弾力機構を含み、各接続機構の一端はスライド移動可能に弾力機構に設置されることができる。
【００１０】
好ましくは、前記クランプ装置は、前記ハウジング内に収納される仕切り板と固定部を含み、前記仕切り板は、前記ハウジングを収納空間と収納腔に分ける。前記固定部は前記収納腔に収納され、かつ前記収納腔を二つの収納室に分け、各スライド溝はそれぞれ収納室に連通する。
【００１１】
好ましくは、前記弾力機構の数量は二つである。前記二つの弾力機構は前記固定部に固定して設けられ、各弾力機構の少なくとも一部は収納室に収納されており、各接続機構の一部は収納室に収納され、かつ弾力機構とスライド移動可能に接続する。
【００１２】
好ましくは、前記弾力機構はスライド部と、前記スライド部の両端に設置された二つの弾性部と、を含む。前記接続機構と前記スライド部はスライド移動可能に接続する。
【００１３】
好ましくは、前記接続機構の一端には接続部が設けられ、前記接続部には接続溝が開設され、前記スライド部の一部は前記接続溝に収納する。
好ましくは、前記固定部には凹溝が凹んで設けられ、前記弾性部の自由端は凹溝に収納される。
【００１４】
好ましくは、前記凹溝の二つの側壁にはそれぞれ係止部が突出して設けられ、前記二つの係止部の間には隙間が形成され、前記弾性部の自由端は前記隙間を貫通して、前記凹溝に収納される。
【００１５】
また、本考案はモバイル電源を公開し、上記のクランプ装置を含み、前記モバイル電源は、電池を含み、前記電池は前記ハウジングに収納される。
【００１６】
好ましくは、前記ハウジングの両端にはそれぞれ開口部が開設され、前記ハウジングは二つのカバーを含み、各カバーは開口部に設置される。
好ましくは、カバーに一つ以上の充電インタフェースと一つ以上の放電インタフェースが設けられる。
【００１７】
好ましくは、前記モバイル電源は、前記ハウジングに収納されるマザーボードと、それぞれ前記マザーボード両端に接続する二つのマザーボード固定部と、を含む。前記マザーボードは前記マザーボード固定部を介して、前記ハウジングに固定する。
【００１８】
好ましくは、前記マザーボードの両端にそれぞれ一つ以上の第一取付穴が開設され、前記マザーボード固定部は、第一接続部と前記第一接続部に接続している第二接続部とを含む。前記第一接続部に一つ以上の第二取付穴が開設され、各第二接続部の前記マザーボードに近い一端には、一つ以上の縁凸部が形成され、前記縁凸部は、対応の第一取付穴に収納される。
【００１９】
本考案の技術方案におけるクランプ装置は、ハウジング、向かい合い設置された二つ以上の接続機構、及び二つ以上のクランプ機構を含む。ハウジングの両側には、一つ以上のスライド溝が開設され、各接続機構の一端はスライド移動可能に前記スライド溝に収納され、かつ前記ハウジングに進入され、他の一端は前記スライド溝から伸び出して、クランプ機構と接続する。そのうち、二つ以上のクランプ機構はそれぞれハウジングの両側に位置して、携帯電話など電子設備を保持するクランプ空間を形成する。向かい合い設置された二つ以上の接続機構は、対応するクランプ機構を連動して、向かい合う方向または反対の方向へ移動させて、それぞれハウジング両側に位置する二つ以上のクランプ機構を介して、向かい合う方向または反対の方向へ移動させることにより、クランプ空間のサイズを調整して、携帯電話など電子設備に適し、携帯電話など電子設備をしっかりとクランプ空間にクランプさせる。各接続機構はクランプ機構を連動して、スライド溝に沿った径方向へ移動され、クランプ機構に対応するスライド溝に沿った径方向へ移動させることにより、クランプ機構の位置が調整されて、クランプ機構が対応の機能ボタンを避けて、携帯電話など電子設備をしっかりとクランプ空間にクランプすることができる。構造設計が合理的で、様々なサイズ、様々なボタン配置の携帯電話など電子設備に適し、高い汎用性を持っている。
【図面の簡単な説明】
【００２０】
より明確に本考案の実施例や従来技術の技術方案を説明するために、以下では、実施例や従来技術の記述に使用される図面を簡単に説明する。明らかに、下記の図面は本考案の実施例のみであり、本分野の一般技術者にとって、創造的労働をせず、これらの図面に示された構造により、他の図面を取得できる。
【図１】図1は本考案のクランプ装置の実施例の１つ視角から観察した際の構造概略図である。
【図２】図2は図1の正面図である。
【図３】図3は図2のC-C箇所の断面図である。
【図４】図4は図1の左側面図（図には、クランプ機構、弾力機構、接続機構とカバーが除去されている）。
【図５】図5は図4のA箇所の拡大図である。
【図６】図6は図4のB箇所の拡大図である。
【図７】図7は本考案のクランプ装置の実施例におけるクランプ機構と弾力機構の接続構造図である・
【図８】図8は本考案のクランプ装置の実施例におけるカバー、仕切り板、クランプ機構と弾力機構の取付位置図である。
【図９】図9は本考案クランプ装置の実施例におけるクランプ機構、接続機構、弾力機構、固定部とハウジングの組立構造図である。
【図１０】図10は本考案のクランプ装置の実施例における弾力機構の構造図である。
【図１１】図11は本考案クランプ装置のもう一つの実施例における弾力機構の構造図である。
【図１２】図12は本考案クランプ装置の他の実施例における弾力機構の構造図である。
【図１３】図13は本考案クランプ装置の実施例における接続機構の構造図である。
【図１４】図14は本考案クランプ装置の実施例におけるクランプ機構の構造図一である。
【図１５】図15は本考案クランプ装置の実施例におけるクランプ機構の構造図二である。
【図１６】図16は本考案クランプ装置の実施例における固定部とハウジングの接続構造図である。
【図１７】図17は本考案モバイル電源の実施例におけるマザーボード、マザーボード固定部、仕切り板とハウジングの組立構造図である。
【図１８】図18は本考案モバイル電源の実施例におけるマザーボード固定部の構造図である。
【図１９】図19は本考案モバイル電源の実施例におけるマザーボードの構造図である。
【図２０】図20は本考案モバイル電源の実施例における一つのカバーの構造図である。
【図２１】図21は本考案モバイル電源の実施例におけるもう一つのカバーの構造図である。
【考案を実施するための形態】
【００２１】
本考案の目的の実現、機能特徴と優位性について、実施例に合わせて、図面により更に説明する。
【００２２】
次は、本考案の実施例の図面により、本考案の実施例の技術方案を明確、完全に説明する。明らかに、その実施例は、全部の実施例ではなく、本考案の実施例の一部である。本考案の実施例に基づき、本分野の一般技術者が創造的労働をせずに取得した他の全ての実施例は、本考案の保護範囲内に属するべきである。
【００２３】
本考案の実施例において、全ての方向指示（例えば、上、下、左、右、前、後……）は、ある特定状態（図面通り）で各部品の間の相対位置関係、運動状況などの解釈のみに用いられる。その特定状態が変更した場合、その方向指示も変更する。
【００２４】
また、本考案の「第一」、「第二」などの記述は、記述のみに用いられる。その重要性の指示/暗示、または技術特徴の数を指示するためのものではない。そのため、「第一」、「第二」と限定された特徴は、一つ以上の特徴を明示・暗示する。また、各実施例の間の技術方案は相互に結合できる。ただし、本分野の一般技術者が実現できることに基づいて、技術方案の結合に矛盾が存在、または実現できなくなる場合、その技術方案の結合が存在しないと理解でき、本考案の実用新案登録請求の保護範囲外にあると認める。
【００２５】
本考案では、明確な規定や限定がない限り、用語「接続」、「固定」などは広義で理解される。明確に限定された場合を除く、例えば、「固定」は、固定接続であり、または取り外し可能な接続、または一体化であってもよく、機械接続、または電気接続であってもよく、直接接続、または中間メディアによる間接接続、または二つのコンポーネント内部の接続や相互作用関係であってもよい。本分野の一般技術者にとって、実情に応じて、本考案の上記用語の意味を理解できる。
【００２６】
図1〜図16には、本考案はクランプ装置を公開し、ハウジング10、向かい合い設置された二つ以上の接続機構30、及びそれぞれハウジング10両側に位置する二つ以上のクランプ機構40を含む。ハウジング10の両側には、一つ以上のスライド溝11が開設され、各接続機構30の一端はスライド移動可能にスライド溝11に収納されて、ハウジング10に進入し、他の一端はスライド溝11から伸び出して、クランプ機構40に接続する。各接続機構30は、クランプ機構40を動かして、スライド溝11に沿った径方向へ移動され、向かい合い設置された二つ以上の接続機構30は、対応するクランプ機構40を動かして、向かい合う方向または反対の方向に沿って移動される。
【００２７】
好ましくは、接続機構30、スライド溝11の数は4つであり、ハウジング10の両側に位置するクランプ機構40の数量はそれぞれ二つである。
【００２８】
具体的には、クランプ機構40とハウジング10は、共同で携帯電話など電子設備を保持するクランプ空間101を形成する。
【００２９】
本考案技術方案のクランプ装置は、ハウジング10、向かい合い設置された二つ以上の接続機構30、及び二つ以上のクランプ機構40を含む。ハウジング10の両側には、一つ以上のスライド溝11が開設され、各接続機構30の一端はスライド移動可能にスライド溝11に収納されて、ハウジング10に進入し、他の一端はスライド溝11から伸び出して、クランプ機構40に接続する。そのうち、二つ以上のクランプ機構40はそれぞれハウジング10の両側に位置して、携帯電話など電子設備を保持するクランプ空間101を形成する。向かい合い設置された二つ以上の接続機構30は、対応するクランプ機構40を動かして、向かい合う方向または反対の方向へ沿って移動され、それぞれハウジング10の両側に位置する二つ以上のクランプ機構40を介して、向かい合う方向または反対の方向へ沿って移動させることにより、クランプ空間101のサイズを調整し、携帯電話など電子設備に適し、携帯電話など電子設備をしっかりとクランプ空間101にクランプする。各接続機構30はクランプ機構40を動かして、スライド溝11に沿った径方向へ移動され、更に、通常、携帯電話など電子設備の両側には数量、サイズなどが異なる機能ボタンが設けられるので、クランプ機構40を対応するスライド溝11に沿った径方向へ移動させて、クランプ機構40の位置を調整することで、クランプ機構40が対応の機能ボタンを避け、携帯電話など電子設備をしっかりとクランプ空間101にクランプする。構造設計が合理的で、様々なサイズ、様々なボタン配置の携帯電話など電子設備に適し、高い汎用性を持っている。
【００３０】
図1〜図3、図13〜図15に示すように、各クランプ機構40は台座41を含み、台座41は、台座本体411、ベース412と接続ロッド413を含み、台座本体411、ベース412と接続ロッド413は共同で嵌合溝401を形成する。接続機構30には収納穴32が開設され、接続ロッド413は収納穴32に収納され、台座本体411とベース412は収納穴32の両側に位置し、接続機構30の一部は嵌合溝401に収納される。
好ましくは、台座本体411は収納穴32一側の周縁に当接し、ベース412は収納穴32の他の片側の周縁に当接する。
【００３１】
更に、収納穴32は、第一収納穴321と第一収納穴321に接続する第二収納穴322とを含み、接続ロッド413の少なくとも一部は第一収納穴321に収納される。
【００３２】
好ましくは、ベース412と接続ロッド413が円柱体であり、第一収納穴321が長方形貫通孔であり、第二収納穴322が円形貫通孔である。
【００３３】
具体的には、ベース412の底面直径は接続ロッド413の底面直径より大きく、第一収納穴321のサイズは接続ロッド413の底面サイズと一致し、第二収納穴322のサイズはベース412の底面サイズと一致する。取付時、ベース412の接続ロッド413から遠く離れた一端は第二収納穴322を貫通し、接続ロッド413の少なくとも一部は第二収納穴322に収納され、その後、台座41を第一収納穴321に近い方向へ移動させる。接続ロッド413の少なくとも一部は第一収納穴321に収納され、及び台座本体411は第一収納穴321一側の周縁に当接する。ベース412は第一収納穴321の他の片側の周縁に当接し、これにより、台座41を接続機構30に設置する。
弾力機構20の引張力により、台座41は、台座41に近いスライド溝11の一側の周縁に当接する。
【００３４】
図15に示すように、各クランプ機構40は、クランプ部42を更に含み、クランプ部42は、回動可能に台座本体411のベース412から遠く離れた一端に接続することができる。
【００３５】
更に、各クランプ機構40は、回動軸43を含む。クランプ部42は回動軸43を通して、回動して、台座本体411のベース412から遠く離れた一端に接続することができる。
好ましくは、台座本体411に対するクランプ部42の回動角度範囲は0〜90度である。
【００３６】
本考案の技術方案のクランプ部42は、回動可能に台座本体411のベース412から遠く離れた一端に接続し、各クランプ部42は、携帯電話など電子設備を保持することに用いられる。本考案のクランプ装置は使用する時、台座本体411に相対してクランプ部42が回動し、クランプ部42は台座本体411に開かれて、携帯電話を保持する。クランプ装置の使用が完了した後、台座本体411に相対してクランプ部42を回動させ、クランプ部42が台座本体411に閉じられる。クランプ装置の収納や格納に役立つ。
【００３７】
図13、図14に示すように、接続機構30には、一つ以上の突起部34が突出して設けられ、突起部34は、台座本体411のハウジング10に近い表面に当接する。
更に、突起部34の数は二つであり、二つの突起部34はそれぞれ収納穴32の両側の周縁に位置する。
【００３８】
本考案の技術方案の接続機構30には、一つ以上の突起部34が突出して設けられ、突起部34は、台座本体411のハウジング10に近い表面に当接して、台座41を接続機構30に固定する。
【００３９】
図1〜図3、図7〜図12に示すように、クランプ装置は、ハウジング10内に収納される一つ以上の弾力機構20を更に含み、各接続機構30の一端はスライド移動可能に弾力機構20に設置されることができる。
【００４０】
本考案の技術方案の各接続機構30の一端はスライド移動可能に弾力機構20に設置される。具体的には、各接続機構30の一端はスライド移動可能に弾力機構20に接続し、他の一端はスライド溝11を貫通して、クランプ機構40に接続する。それぞれハウジング10両側に位置する二つ以上のクランプ機構40が反対方向へ沿って移動する時、各クランプ機構40は、接続している接続機構30を介して、弾力機構20を引っ張る。弾力機構20は弾性変形して、弾力を生じ、接続機構30を介して、二つ以上の向かい合い設置されたクランプ機構40に加え、向かい合う方向に沿う引張力で、クランプ空間101内の携帯電話など電子設備を保持する。更に、クランプ機構40がスライド溝11に沿った径方向へ移動する場合、クランプ機構40に接続している接続機構30と弾力機構20は相対してスライド移動する。
【００４１】
図1〜図6に示すように、クランプ装置は、ハウジング10内の仕切り板50と固定部60を含み、仕切り板50は、ハウジング10を収納空間51と収納腔61に分け、固定部60は収納腔61に収納されて、収納腔61を二つの収納室611に分ける。各スライド溝11はそれぞれ収納室611に接続する。
【００４２】
更に、ハウジング10内には、向かい合い設置された二つの挿込溝14が設けられ、仕切り板50の両端はそれぞれ対応の挿込溝14に接続する。
【００４３】
本考案の技術方案の仕切り板50は、ハウジング10を収納空間51と収納腔61に分ける。収納空間51は、電池、マザーボード70などを収納し、固定部60は収納腔61に収納され、かつ収納腔61を二つの収納室611に分ける。各スライド溝11はそれぞれ収納室611に連通し、収納腔61は弾力機構20と、接続機構30の一部とを収納し、これにより、弾力機構20、接続機構30は電池、マザーボード70などと分離される。弾力機構20及び接続機構30が運動時に電池に対する影響を回避する。ハウジング10の内部構造は更にコンパクトで、配置が更に合理的である。
【００４４】
図1〜図4、図7〜図9に示すように、弾力機構20の数量は二つであり、二つの弾力機構20は固定部60に固定して設けられる。各弾力機構20の少なくとも一部は収納室611に収納され、各接続機構30の一部は収納室611に収納され、弾力機構20とスライド移動可能に接続する。
【００４５】
本考案の技術方案の各接続機構30の一部は収納室611に収納されて、弾力機構20とスライド移動可能に接続する。具体的には、各接続機構30の一部は収納室611に収納され、各接続機構30の一端はスライド移動可能に弾力機構20に接続し、他の一端はスライド溝11を貫通し、かつハウジング10から露出して、クランプ機構40に接続する。各弾力機構20の少なくとも一部は収納室611に収納され、収納室611は弾力機構20を弾性変形させるための一定の運動空間を提供する。各弾力機構20の一端が固定部60に固定され、他の一端が接続機構30に接続する。接続機構30が接続する弾力機構20から遠く離れた方向へ沿って運動する場合、弾力機構20は収納室611内に収容されて運動し、かつ弾性変形して、弾力を提供する。
図7〜図12に示すように、弾力機構20はスライド部21とスライド部21の両端に設置された二つの弾性部22とを含む。接続機構30とスライド部21はスライド移動可能に接続する。
【００４６】
好ましくは、図10に示すように、本考案の一つの実施例の弾性部22がフラット形状のバネであり、スライド部21がロッド状構造である。弾性部22をフラット形状バネとする場合、弾性部22の空間を大幅に減少し、ハウジング10のサイズを減少し、構造を更にコンパクトにする。
【００４７】
図11に示すように、本考案のもう一つの実施例の弾性部22は空間スパイラル型バネであり、スライド部21はロッド状構造であり、弾性部22を空間スパイラル型バネに設置する場合、その弾性を大幅に強化する。
図12に示すように、本考案の他の実施例の弾性部22は空間スパイラル型バネであり、スライド部21も空間スパイラル型バネである。
【００４８】
合理的なハウジング10のサイズ及び弾性部22の弾性強度で設置することで、クランプ機構40のために十分なクランプ力を提供して、携帯電話など電子設備をしっかりとクランプすることができる。
【００４９】
本考案の技術方案の弾力機構20は、スライド部21とスライド部21の両端に設置された二つの弾性部22を含む。弾性部22は、向かい合い設置された接続機構30が同じ方向にそって移動するための弾力を提供し、更に接続機構30を介してクランプ機構40を引っ張って、クランプ機構40がしっかりと携帯電話など電子設備を保持する。接続機構30とスライド部21はスライド移動可能に接続し、好ましくは、接続機構30の一端はスライド移動可能にスライド部21に接続し、他の一端はスライド溝11を貫通し、かつハウジング10から伸び出して、クランプ機構40に接続する。各接続機構30はクランプ機構40を動かして、スライド溝11に沿った径方向へ移動される。本考案のクランプ装置は使用する時、まず、向かい合い設置された二つの接続機構30を反対方向へ沿って移動させて、携帯電話など電子設備に適するようにクランプ空間101のサイズを調整する。その後、携帯電話など電子設備をクランプ空間101に配置し、更に、携帯電話など電子設備の両側に様々な数量やサイズの機能ボタンが設置されるため、クランプ機構40を対応するスライド溝11に沿った径方向へ移動させて、クランプ機構40の位置を調整し、これにより、クランプ機構40が対応の機能ボタンを避けて、携帯電話など電子設備をしっかりとクランプ空間101にクランプする。本考案の構造設計は合理的で、様々なサイズ、様々なボタン配置の携帯電話などの電子設備に適し、高い汎用性を持っている。
図7〜図13に示すように、接続機構30の一端には接続部31が設けられ、接続部31に接続溝33が開設され、スライド部21の一部は接続溝33に収納される。
【００５０】
本考案の技術方案の接続機構30の一端には接続部31が設けられ、接続部31に接続溝33が開設され、スライド部21の一部は接続溝33に収納される。本考案のクランプ装置は取り付けられた後、対応する接続機構30を弾力機構20から遠く離れた方向へ沿って引っ張る場合、スライド部21は接続溝33の壁に当接し、更に、スライド部21が弾性部22を引っ張って、弾性部22が変形し、弾力を生じる。同時に、接続部31は接続溝33を介して、スライド部21と相対してスライド移動する。
図3〜図5、図9、及び図10〜図12に示すように、固定部60には凹溝601が凹んで設けられる。弾性部22の自由端23は凹溝601に収納される。
【００５１】
本考案の技術方案の固定部60には凹溝601が凹んで設けられ、弾性部22の自由端23は凹溝601内に収納され、本考案のクランプ装置を取り付ける時、向かい合い設置された二つの弾性部22の自由端23はそれぞれ凹溝601に進入し、取り付けた後、対応する接続機構30を弾力機構20から遠く離れた方向へ沿って引っ張る時、弾性部22の自由端23が凹溝601の側壁に当接して、弾性部22が変形し、弾力を生じる。
【００５２】
図3〜図5、図9、及び図10〜図12に示すように、凹溝601の二つの側壁にはそれぞれ係止部62が設けられ、二つの係止部62の間には隙間（図に示してない）が形成され、弾性部22の自由端23は隙間を貫通して、凹溝601に収納される。
【００５３】
更に、係止部62の凹溝601から遠く離れた表面は仕切り板50に当接する。これにより、凹溝601に設置された弾性部22の自由端23が隙間から脱落することを回避する。
【００５４】
本考案の技術方案の二つの係止部62の間に隙間が形成され、弾性部22の自由端23は隙間を貫通して、凹溝601に収納される。本考案のクランプ装置を取り付ける時、向かい合い設置された二つの弾性部22の自由端23はそれぞれ隙間から凹溝601に進入して、弾力機構20を固定部60に取り付ける。二つの係止部62は、弾性部22の自由端23の係止に用いられて、自由端23が凹溝601の開口部から脱落することを回避する。
【００５５】
図1〜図21に示すように、本考案は、モバイル電源を公開する。このモバイル電源は上記のクランプ装置を含み、このクランプ装置の具体的構造について、上記実施例を参照すればよい。このモバイル電源が上記全ての実施例の全部技術方案を使用するため、上記実施例の技術方案のもたらす全ての有益な効果を有するので、ここで再説明しない。そのうち、モバイル電源は、電池（図に示していない）を含み、電池はハウジング10に収納される。
具体的には、電池は収納空間51に収納される。
【００５６】
本考案技術方案のモバイル電源により携帯電話など電子設備を充電する時、本考案のモバイル電源が携帯電話など電子設備をハウジング10に固定するので、携帯電話など電子設備とモバイル電源との間の充電ケーブルの長さを大幅に短縮し、全体が更にシンプルで美しくなる。写真を撮る時、携帯電話など電子設備の位置を調整して、携帯電話など電子設備のレンズはハウジング10から露出させ、片手で同時にモバイル電源と携帯電話など電子設備を握って、写真を撮るため、操作が更に簡単になる。本考案のモバイル電源のハウジング10の内部構造がコンパクトで、配置が合理的で、既存の同じサイズのモバイル電源に比べて、本考案のモバイル電源の弾力機構20、接続機構30を収納する収納室611は更に小さくなり、電池を収納する収納空間51の容量は更に大きくなる。モバイル電源の容量は大幅に向上され、携帯電話など電子設備に対し、より持続的な電力供給を提供する。
【００５７】
図4、図16〜図17、及び図20〜図21に示すように、ハウジング10の両端にはそれぞれ開口部13が設置される。ハウジング10は二つのカバー12を含み、各カバー12は開口部13に設置される。
【００５８】
本考案の技術方案のハウジング10の両端にそれぞれ開口部13が開設され、具体的には、二つの開口部13は収納空間51と収納腔61に連通し、固定部60、弾力機構20と接続機構30の取付に役立つ。二つのカバー12を設置することで、各カバー12は開口部13を覆って、密封する。
図20、図21に示すように、カバー12に一つ以上の充電インタフェース121と一つ以上の放電インタフェース122が開設される。
好ましくは、放電インタフェース122はUSB（Universal Serial Bus、ユニバーサル・シリアル・バス）ポートである。
更に、充電インタフェース121、放電インタフェース122は電池に接続する。
【００５９】
本考案の技術方案のカバー12には一つ以上の充電インタフェース121と一つ以上の放電インタフェース122が開設され、電池は充電インタフェース121を通して充電する。電池は放電インタフェース122を通して外部の携帯電話など電子設備に電力を供給する。
【００６０】
図17〜図21に示すように、モバイル電源は、ハウジング10内のマザーボード70とそれぞれマザーボード70両端に接続する二つのマザーボード固定部80とを含む。マザーボード70はマザーボード固定部80を介して、ハウジング10に固定する。
更に、マザーボード70は電池に接続する。
具体的には、マザーボード70とマザーボード固定部80は収納空間51に収納される。
【００６１】
本考案の技術方案のマザーボード70の両端は、二つのマザーボード固定部80を介して、ハウジング10に固定される。マザーボード70がハウジング10内で変位されて、マザーボード70と電池との接続に影響を及ぼし、電力供給が不安定になるなどの問題を回避する。
【００６２】
図17〜図21に示すように、マザーボード70の両端にはそれぞれ一つ以上の第一取付穴701が開設され、マザーボード固定部80は、第一接続部81と第一接続部81に接続している第二接続部82とを含む。第一接続部81には一つ以上の第二取付穴811が開設され、各第二接続部82のマザーボード70に近い一端には、一つ以上の縁凸部812が形成される。縁凸部812は、対応の第一取付穴701に収納される。
更に、各縁凸部812は、対応の第一取付穴701に溶接される。
更に、ハウジング10の開口部13の両側エッジには、それぞれ一つ以上の第三取付穴131が開設される。
【００６３】
本考案の技術方案のマザーボード70の両端にはそれぞれ一つ以上の第一取付穴701が開設され、マザーボード固定部80は、第一接続部81と第一接続部81に接続している第二接続部82とを含む。第一接続部81には一つ以上の第二取付穴811が開設され、具体的には、モバイル電源は多くのボルト（図に示していない）を含み、各ボルトの一端はカバー12に接続し、他の一端が順次に第二取付穴811と第三取付穴131を貫通した後、ハウジング10に固定される。各第二接続部82のマザーボード70に近い一端には、一つ以上の縁凸部812が形成され、縁凸部812は、対応の第一取付穴701に収納される。本考案のモバイル電源を組立てする時、カバー12をハウジング10の開口部13に固定し、同時にマザーボード70をハウジング10に固定することにより、マザーボード70がハウジング10内に変位して、電力供給が不安定になるなどの問題を回避する。
【００６４】
上記は本考案の好ましい実施例であり、本考案の実用新案登録請求の保護範囲を制限しない。本考案の構想に基づき、本考案の明細書及び図面の内容を利用した等効構造変換、または直接的/間接的に他の関連技術分野に運用される場合、本考案の実用新案登録請求の保護範囲内に属するべきである。
【符号の説明】
【００６５】
10  ハウジング
101  クランプ空間
11  スライド溝
12  カバー
121  充電インタフェース
122  放電インタフェース
13  開口部
131  第三取付穴
14  挿込溝
20  弾力機構
21  スライド部
22  弾性部
23  自由端
30  接続機構
31  接続部
32  収納穴
321  第一収納穴
322  第二収納穴
33  接続溝
34  突起部
40  クランプ機構
401  嵌合溝
41  台座
411  台座本体
412  ベース
413  接続ロッド
42  クランプ部
43  回動軸
50  仕切り板
51  収納空間
60  固定部
601  凹溝
61  収納腔
611  収納室
62  係止部
70  マザーボード
701  第一取付穴
80  マザーボード固定部
81  第一接続部
811  第二取付穴
812  縁凸部
82  第二接続部
【図１】
0003210956.tif 000003
【図２】
0003210956.tif 000004
【図３】
0003210956.tif 000005
【図４】
0003210956.tif 000006
【図５】
0003210956.tif 000007
【図６】
0003210956.tif 000008
【図７】
0003210956.tif 000009
【図８】
0003210956.tif 000010
【図９】
0003210956.tif 000011
【図１０】
0003210956.tif 000012
【図１１】
0003210956.tif 000013
【図１２】
0003210956.tif 000014
【図１３】
0003210956.tif 000015
【図１４】
0003210956.tif 000016
【図１５】
0003210956.tif 000017
【図１６】
0003210956.tif 000018
【図１７】
0003210956.tif 000019
【図１８】
0003210956.tif 000020
【図１９】
0003210956.tif 000021
【図２０】
0003210956.tif 000022
【図２１】
0003210956.tif 000023